【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
処置を提供するように構成された超音波処置システムであって、
目的の領域に第１の超音波エネルギー効果を提供する第１の部分および第２の超音波エネルギー効果を提供する第２の部分を備える１つの超音波トランスデューサーであって、該第１の部分および該第１の超音波エネルギー効果は、該第２の部分および該第２の超音波エネルギー効果と異なり、該第１の超音波エネルギー効果および該第２の超音波エネルギー効果は、非熱的ストリーミングな、流体力学的な、アブレーティブな、止血性の、ジアテルミーの、および共振誘導の、組織効果のうちの少なくとも２つを含む、超音波トランスデューサー、
該第１の部分および該第２の部分に接続されており、該第２の部分とは独立して該第１の部分を作動的に制御する、制御システム
を備え、
該第１の超音波エネルギー効果および該第２の超音波エネルギー効果は、該目的の領域に作用して該目的の領域の少なくとも１つの反応を促進するように構成されており、該少なくとも１つの反応は、止血作用、結果として起こる血管再生／血管新生、相互接続組織の増殖、組織の再編成、コラーゲンの再編成、メディカントの高められた送達および活性化、タンパク質合成の刺激、ならびに増大した細胞浸透性のうちの少なくとも１つを含む、超音波処置システム。
【請求項２】
前記第１の部分および前記第２の部分は、前記第１の超音波エネルギー効果および前記第２の超音波エネルギー効果を同時に提供して、前記目的の領域での同時反応を達成する、請求項１に記載の超音波処置システム。
【請求項３】
前記目的の領域は、患者の表面領域、皮下領域、および内部領域のうちの少なくとも１つを含む、請求項１に記載の超音波処置システム。
【請求項４】
前記１つの超音波トランスデューサーは、様々な厚みのトランスダクション要素を含む、請求項１に記載の超音波処置システム。
【請求項５】
前記第１の部分は、低周波処置のために構成されたトランスダクション要素を含み、前記第２の部分は、高周波処置のために構成されたトランスダクション要素を含む、請求項１に記載の超音波処置システム。
【請求項６】
前記１つの超音波トランスデューサーは、フォーカスされた処置を提供するために構成されたアレイを含む、請求項１に記載の超音波処置システム。
【請求項７】
前記１つの超音波トランスデューサーは、電気的なフォーカシングアレイを含む、請求項１に記載の超音波処置システム。
【請求項８】
前記１つの超音波トランスデューサーは、環状のアレイを含む、請求項１に記載の超音波処置システム。
【請求項９】
前記少なくとも２つの超音波エネルギー効果は、前記目的の領域の少なくとも２つの反応を助長するように構成されている、請求項１に記載の超音波処置システム。
【請求項１０】
前記超音波処置システムは、さらに、前記１つの超音波トランスデューサーと前記目的の領域との間の音響カップリングのために構成されたカップリングシステムを含む、請求項１に記載の超音波処置システム。
【請求項１１】
前記カップリングシステムは、前記超音波処置システムの熱エネルギー効果の制御を助長するように目的の領域に最も近いインターフェース表面の制御冷却のために構成されている、請求項１０に記載の超音波処置システム。
【請求項１２】
前記超音波処置システムは、セラピー、イメージング、および組織パラメータモニタリングのうちの少なくとも１つを提供するために構成されている、請求項１に記載の超音波処置システム。
【請求項１３】
前記超音波処置システムは、複合セラピーおよびイメージング処置を提供するために構成されている、請求項１０に記載の超音波処置システム。
【請求項１４】
目的の領域の複合超音波処置のために構成された超音波トランスデューサーであって、
制御システムに作動的に接続された第１のバッキング層およびマッチング層を備える第１の部分であって、第１の周波数で作動することにより、第１の超音波エネルギー効果を提供する、第１の部分；
該第１のバッキング層およびマッチング層とは構造的に異なる第２のバッキング層およびマッチング層を備える第２の部分であって、該第２の部分は、該制御システムに作動的に接続されており、第２の周波数で作動することにより、該第１の超音波エネルギー効果とは異なる第２の超音波エネルギー効果を提供する、第２の部分；
を備え、
該第１の超音波エネルギー効果および該第２の超音波エネルギー効果は該目的の領域で少なくとも１つの生物学的反応を刺激するように構成されている、トランスデューサー。
【請求項１５】
前記第１の超音波エネルギー効果は、熱的な、キャビテーショナルな、流体力学的な、および共振誘導の、組織効果のうちの少なくとも１つを含み、前記第２の超音波エネルギー効果は、熱的な、キャビテーショナルな、流体力学的な、および共振誘導の、組織効果のうちの少なくとも１つを含み、該第２の超音波エネルギー効果は、該第１の超音波エネルギー効果と異なる、請求項１４に記載の超音波トランスデューサー。
【請求項１６】
前記少なくとも１つの生物学的反応は、止血作用、結果として起こる血管再生／血管新生、凝固壊死、相互接続組織の増殖、組織の再編成、既存組織のアブレーション、コラーゲンの再編成、メディカントの高められた送達および活性化、タンパク質合成の刺激、ならびに増大した細胞浸透性のうちの少なくとも１つを含む、請求項１４に記載の超音波トランスデューサー。
【請求項１７】
前記目的の領域は、患者の表面領域、皮下領域、および内部領域のうちの少なくとも１つを含む、請求項１４に記載の超音波トランスデューサー。
【請求項１８】
前記第１の部分は、超音波を放射するトランスダクション要素である、請求項１４に記載の超音波トランスデューサー。
【請求項１９】
前記第１の超音波エネルギー効果および第２の超音波エネルギー効果は、前記目的の領域に少なくとも２つの生物学的反応を刺激するように構成された、請求項１４に記載の超音波トランスデューサー。
【請求項２０】
前記少なくとも２つの生物学的反応は、前記目的の領域に全体的な処置を処方するように構成された、請求項１４に記載の超音波トランスデューサー。
【請求項２１】
患者に非侵襲的超音波処置を提供するためのシステムであって、該システムは、
熱効果または前処理効果を含む第１のエネルギー効果を提供することにより目的の領域で第１の反応を生成するように第１の周波数範囲および振幅で超音波エネルギーを放射するように構成されたトランスデューサーを備え、
該トランスデューサーは、該第１のエネルギー効果とは異なり、該第１のエネルギー効果とは独立して、該第１のエネルギー効果後に１つ以上の遅延期間の後に起こる、共振誘導の組織効果を含む第２のエネルギー効果を提供するように第２の周波数範囲および振幅で超音波エネルギーを放射するように構成されている、システム。
【請求項２２】
前記第２の周波数範囲および振幅で放射される前記超音波エネルギーは、前記トランスデューサーに、前記第１の周波数範囲および振幅の前記超音波エネルギーが放射されるときに起こるよりも大きな力を適用することにより制御システムによって放射される、請求項２１に記載のシステム。
【請求項２３】
前記第１の反応と前記第２の反応とは、前記目的の領域に全体的な反応を生成するように組み合わされる、請求項２２に記載のシステム。
【請求項２４】
前記第１のエネルギー効果は、熱的な、キャビテーショナルな、流体力学的な、および共振誘導の、組織効果をさらに含む、請求項２１に記載のシステム。
【請求項２５】
前記第２のエネルギー効果は、キャビテーショナルな、および流体力学的な組織効果をさらに含む、請求項２１に記載のシステム。
【請求項２６】
前記トランスデューサーは、止血作用、結果として起こる血管再生／血管新生、凝固壊死、相互接続組織の増殖、組織の再編成、既存組織のアブレーション、コラーゲンの再編成、メディカントの高められた送達および活性化、タンパク質合成の刺激、ならびに増大した細胞浸透性の反応のうちの少なくとも１つを生成する、請求項２１に記載のシステム。
【請求項２７】
前記トランスデューサーは、第２の、止血作用、結果として起こる血管再生／血管新生、相互接続組織の増殖、組織の再編成、既存組織のアブレーション、コラーゲンの再編成、メディカントの高められた送達および活性化、タンパク質合成の刺激、ならびに増大した細胞浸透性の反応のうちの少なくとも１つを生成し、
前記第２の反応は前記第１の反応と同じかまたは異なる、請求項２１に記載のシステム。
【請求項２８】
患者に非侵襲的超音波処置を提供するためのシステムであって、該システムは、
目的の領域に第１の、平面的なエネルギービーム、デフォーカスされたエネルギービーム、またはフォーカスされた超音波エネルギービームのうちの１つを提供することにより、アブレーティブな、または止血性の効果を含む第１のエネルギー効果および対応する第１の反応を生成するための手段と、
該目的の領域に第２の、平面的なエネルギービーム、デフォーカスされたエネルギービーム、またはフォーカスされた超音波エネルギービームのうちの１つを提供することにより、非熱的ストリーミング効果を含む第２のエネルギー効果および対応する第２の反応を生成するための手段を備え、
ここで、該第１のエネルギー効果を生成した後に遅延期間が生じさせられ、
該第１の、平面的なエネルギービーム、デフォーカスされたエネルギービーム、またはフォーカスされた超音波エネルギービーム、ならびに該第２の、平面的なエネルギービーム、デフォーカスされたエネルギービーム、またはフォーカスされた超音波エネルギービームは、該第１の反応および該第２の反応を生じ得る、システム。
【請求項２９】
前記第１のエネルギー効果は、目的の領域に、第１の、平面的なエネルギービーム、デフォーカスされたエネルギービーム、およびフォーカスされた超音波エネルギービームのうちの１つを提供することにより、熱的な、キャビテーショナルな、流体力学的な、および共振誘導の、組織効果のうちの少なくとも１つを生成することをさらに含む、請求項２８に記載のシステム。
【請求項３０】
前記第２のエネルギー効果は、目的の領域に、第２の、平面的なエネルギービーム、デフォーカスされたエネルギービーム、およびフォーカスされた超音波エネルギービームのうちの１つを提供することにより、熱的な、キャビテーショナルな、流体力学的な、および共振誘導の、組織効果のうちの１つを生成することをさらに含み、
該第２のエネルギー効果は、該第１のエネルギー効果と同じかまたは異なる、請求項２８に記載のシステム。
【請求項３１】
前記目的の領域に第１の、平面的なエネルギービーム、デフォーカスされたエネルギービーム、またはフォーカスされた超音波エネルギービームのうちの１つを提供することにより第１の反応を生成するための手段は、止血作用、結果として起こる血管再生／血管新生、相互接続組織の増殖、組織の再編成、既存組織のアブレーション、コラーゲンの再編成、メディカントの高められた送達および活性化、タンパク質合成の刺激、ならびに増大した細胞浸透性反応のうちの１つを生成する、請求項２８に記載のシステム。
【請求項３２】
前記目的の領域に第２の、平面的なエネルギービーム、デフォーカスされたエネルギービーム、またはフォーカスされた超音波エネルギービームのうちの１つを提供することにより第２の反応を生成するための手段は、止血作用、結果として起こる血管再生／血管新生、相互接続組織の増殖、組織の再編成、既存組織のアブレーション、コラーゲンの再編成、メディカントの高められた送達および活性化、タンパク質合成の刺激、ならびに増大した細胞浸透性反応のうちの１つを生成し、該第２の反応は第１の反応と同じかまたは異なる、請求項２８に記載のシステム。
【請求項３３】
処置を提供するために構成された超音波処置システムであって、
該超音波処置システムの制御のために構成された制御システムと、
第１のトランスダクション要素および第２のトランスダクション要素を備え、該第１のトランスダクション要素および該第２のトランスダクション要素は、目的の領域に別の期間で互いに独立して起こる少なくとも２つの超音波エネルギー効果を提供することによって目的の領域内で少なくとも１つの反応を促進するように構成された超音波トランスデューサーと、
該制御システムを該第１のトランスダクション要素に接続させる第１接続機構、および該制御システムを該第２のトランスダクション要素に接続させる第２接続機構、
を備え、
該制御システムは、該第２のトランスダクション要素とは独立して該第１のトランスダクション要素を作動的に制御し、
該少なくとも２つの超音波エネルギー効果は、互いに独立して該目的の領域にキャビテーションを生成し得る少なくとも２つの超音波エネルギービームによって生成され、
該第１の超音波エネルギー効果は、該第２の超音波エネルギー効果と異なり、該第１の超音波エネルギー効果および該第２の超音波エネルギー効果のそれぞれは、非熱的ストリーミングな、流体力学的な、アブレーティブな、止血性の、ジアテルミーの、および共振誘導の、組織効果のうちの少なくとも１つの異なるものを含み、
該少なくとも２つの異なる反応は、止血作用、結果として起こる血管再生／血管新生、相互接続組織の増殖、組織の再編成、コラーゲンの再編成、メディカントの高められた送達および活性化、タンパク質合成の刺激、ならびに増大した細胞浸透性のうちの少なくとも２つを含む、超音波処置システム。
【請求項３４】
前記目的の領域は、患者の表面領域、皮下領域、および内部領域のうちの少なくとも１つを含む、請求項３３に記載の超音波処置システム。
【請求項３５】
前記超音波トランスデューサーは、様々な厚みのトランスダクション要素を備える、請求項３３に記載の超音波処置システム。
【請求項３６】
前記超音波トランスデューサーは、所望される反応を生み出すための適切な出力を提供するための少なくとも２つ以上の周波数で励起されるブロードバンドトランスデューサーを備える、請求項３３に記載の超音波処置システム。
【請求項３７】
前記第１のトランスダクション要素は、低周波処置のために構成されており、第２のトランスダクション要素は、高周波処置のために構成されている、請求項３３に記載の超音波処置システム。
【請求項３８】
前記１つの超音波トランスデューサーは、前記第１の部分に取り付けたバッキング層およびマッチング層をさらに備える、請求項１に記載の超音波処置システム。
【請求項３９】
前記１つの超音波トランスデューサーは、前記第１の部分に取り付けた第１のバッキング層および第１のマッチング層、ならびに前記第２の部分に取り付けた第２のバッキング層および第２のマッチング層をさらに備え、該第１のバッキング層および第１のマッチング層は、該第２のバッキング層および第２のマッチング層とは構造的に異なる、請求項１に記載の超音波処置システム。
【請求項４０】
前記超音波トランスデューサーは、マルチモードトランスデューサーである、請求項１４に記載の超音波トランスデューサー。
【請求項４１】
前記超音波トランスデューサーは、少なくとも１つのイメージングトランスダクション要素を有する、請求項１４に記載の超音波トランスデューサー。
【請求項４２】
前記超音波エネルギーは、前記第１の周波数範囲および振幅で放射され、そして高調波振動数範囲でも放射される、請求項２１に記載のシステム。
【請求項４３】
前記超音波トランスデューサーは、前記第１のトランスダクション要素に取り付けられたバッキング層をさらに備える、請求項３３に記載の超音波処置システム。
【請求項４４】
患者に対して非侵襲性超音波処置を提供するためのシステムであって、
第１の振幅およびエネルギーレベルの超音波エネルギーを放射することにより目的の領域で第１の反応を生成する第１のエネルギー効果を提供するように構成されたトランスデューサーを備え、
該トランスデューサーは、第２の振幅およびエネルギーレベルの超音波エネルギーを放射することにより、該第１のエネルギー効果とは異なり、該第１のエネルギー効果とは独立し、そして該第１のエネルギー効果の後に１つ以上の遅延期間の後で起こる第２のエネルギー効果を提供するように構成されている、システム。
【手続補正２】
【補正対象書類名】明細書
【補正対象項目名】００１３
【補正方法】変更
【補正の内容】
【００１３】
効果１０６によって起こされ、および／あるいは刺激された反応１０８は、エネルギー効果によって起こされ、および／あるいは刺激された任意の生物学的反応を含み得る。例えば、１）高濃度超音波ビームから刺激されたものを含む止血作用、２）約２ＭＨｚから７ＭＨｚあるいはそれ以上の高周波適用から生み出されるような二次の血管再生／血管新生、３）相互接続組織の増殖、４）脂肪、コラーゲン、およびその他のような既存組織の再編成および／あるいはアブレーション、５）刺激された遺伝子あるいは組織への薬物処置の可能性を助長し得る、増大した細胞浸透性、および／あるいは１０ｋＨｚから１０ＭＨｚの超音波周波数によって起こされた、様々な薬物に対する特定の組織の増加した浸透性、６）メディカント（ｍｅｄｉｃａｎｔｓ；メディカル物質）の高められた送達および／あるいは活性化、７）タンパク質合成の刺激作用、および／あるいは８）その他のあり得る組織反応（例えば、凝固壊死）、のようなものを含み得る。フォーカスされた超音波の例示的なアブレーティブ反応は、米国特許第６，０５０，９４３号および第６，５００，１２１号で論証されており、本出願と少なくとも１人の共通の発明者および共通の譲受人を有する。従って、例えば、低強度分散超音波フィールドは、血管生成を提供するために生み出され得、増強された強度の均質あるいは均一の超音波フィールドは、治癒および復活の割合を増やすジアテルミーを提供するために生み出され得、および／あるいは、高強度にフォーカスされたおよび／あるいはアンフォーカスされたビームは、ヒト組織の様々な深さや位置の一時的なアブレーティブおよび止血作用効果を提供するために生み出され得、これにより、復活の加重あるいは結合効果は、超音波エネルギーフィールドを組み合わせることによって作り出される。